(57)【要約】      （修正有）【課題】対向して配置されるコンクリート型枠であるコンパネフォームを所定間隔に保持し締結する構造であって、連設する複数の型枠を連結するクリップ金具を介して板セパレータとバタ材締付金具を嵌合させて型枠の緊締作業を容易にする。【解決手段】板セパレータ１についてはコンパネフォームの縁リブ１６を挟着する、弾力性による挟着タブ１７を設けて仮止を簡便にする。また、バタ材締付金具２については、型枠を連結するクリップ金具４の突出部に挿通孔が有する連結板５を挿入して取付けを容易にし、外れ防止に具備した嵌着スライド管により固定する。また、コンパネフォームを使用することで板セパレータ１の使用が有効となり、板セパレータ１を介して力骨となる縁リブ１６がコンクリート荷重の負担を補助することでバタ材に加わる荷重負担が軽減することになりバタ材の軽量化を図る。【選択図】図１
2009287291.tif 000002
【特許請求の範囲】
【請求項１】
対向するコンクリート型枠間に介装されてコンクリート型枠の間隔を保持するセパレータ部材を介してバタ材締付金具の固定を容易にするためであって、板セパレータに開設された係止孔と相似する挿通孔を設けた連結板にバタ材締付け用の軸ボルトが一体形成されてなる軸ボルトに進退可能な嵌着スライド管を具備することでコンクリート型枠緊締に用いるバタ材締付金具の取付作業を簡便することを特徴とするコンクリート型枠緊締金具。
【請求項２】
対向するコンクリート型枠間に介装されてコンクリート型枠の間隔を保持するセパレータ部材にあって、連設する型枠間に挟み込みクリップ金具で固定する板セパレータの仮止に必要とする弾力性の挟着タブを設けたことで取付作業を容易にしたことを特徴とするコンクリート型枠緊締金具。
【発明の詳細な説明】
【技術分野】
【０００１】
本発明は、コンクリートユニット型枠の緊締に用いるコンクリート型枠緊締金具の構造に関するものである。
【背景技術】
【０００２】
コンクリート構造物である壁体の施工時におけるコンクリートの打設に際しては、構造物の骨格として補強材となる鉄筋の配筋が完了したのち、その両側にコンクリート型枠（以下、単に型枠と言うことがある。）をそれぞれ連設してユニット化し、この時、対向するコンクリート型枠間に型枠を所要間隔に維持するようにセパレータ部材を配置するとともに、前記セパレータ部材により対向するコンクリート型枠を緊締し、さらに、コンクリート打設時にコンクリート型枠に作用する荷重を支持するようにコンクリート型枠の背面を支持するバタ材を配置固定し、この様にして構築されたコンクリート型枠ユニット間にコンクリートを供給する（流し込む）ことによりコンクリート構造物の施工が行われる。  
【０００３】
前述するコンクリート型枠のユニット化への構築に際して使用されるセパレータ部材には概ね３種類の形態のもの、即ち、丸棒状のセパレータ部材である丸セパ、薄板による板セパレータ、平鋼による板状セパレータが存在するが、これらのセパレータ部材はコンリート型枠の形態によって、あるいは、施行者の設計によって使い分けが行われ、また、従来から多用される型枠としては、型枠の製作の容易さ、型枠同士を連結するために釘打ち等による作業の簡便性、型枠が木質で軽量であることに由来する施工時における運搬、ハンドリング等の取り扱いが容易であることなどの理由から木質合板製のコンクリート型枠が多用されている。  
【０００４】
この様にコンクリート型枠が木質系である場合、例えば、特開２００４−０２７５９２号公報、あるいは、「製品カタログＮＯ３コンクリート型枠編」（岡部株式会社発行）に一例を示すところの丸セパが使用され、鉄筋の配筋を挟んで対向して配置されるコンクリート型枠のせき板にそれぞれ所要ピッチでドリルによって貫通孔をもうけ、該貫通孔に、両端ネジを刻設してなる丸セパにおけるネジがそれぞれせき板から突出するように嵌挿し、隣接する型枠を釘あるいは連結金具等により連結した後、締付金具であるフォームタイ（登録商標）を前記ネジに螺止し、さらに、該フォームタイにコンクリート打設時に型枠に作用するコンクリートの荷重を支持するバタ材を上下に配置固定し、コンクリート型枠を緊締してユニット化として型枠の構築が行われている。  
【０００５】
前述するバタ材については、外径が４８．６ｍｍの丸鋼管（以下、単に単管と言うこともある。）または角鋼管等のバタ材をフォームタイの上下に配置することで応力の均衡を保ち安定を支持する方法が一般的に採用されている。また、円形型枠に使用するバタ材については、曲げ加工が容易な塩ビ管（ＶＰ管）あるいは切削加工が容易な木質材が使用されている。  
【０００６】
このようなことから近年において、コンクリート型枠の製作手間を削減して反復使用可能とし、また、施工性を容易にし、コストダウンを図ることを目的とする金属製コンクリート型枠であるメタルフォームあるいはクリップ孔を一定間隔に穿設した力骨となる金属製Ｌ型形状の縁リブを木質合板あるいは、合成樹脂パネルの両端に固定してなるコンクリート型枠が評価されるようになった。この場合、コンクリート型枠を列設するに際して、コンクリート型枠間に板セパレータを狭着するとともに、ユニット化のためにコンクリート型枠の縁リブに設けられているクリップ孔にクリップ金具を用いてコンクリート型枠を一体的に締結し、さらに、コンクリート型枠の縁リブに設けられている別のクリップ孔を利用してバタ材を取付けて面通しの調整が行う工法が注目されている。  
【０００７】
また、コンクリート型枠緊締金具においては、鞍部材を装架するバタ材締付金具にセパレータ部材と結合する頭部をもうけ、後部に鞍部材を押圧する締付部を具備した万力的な構造により、平鋼のバタ材を鞍部材に載置し、コンクリート型枠に対してバタ材を押圧することで、コンクリート型枠の緊締作業を安全かつ、簡便にするコンクリート型枠緊締金具が提案されている（例えば、特開２００８−１１５５９１号公報参照。）。    
【特許文献１】特開２００８−１１５５９１号公報
【特許文献２】特開２００６−２０７３６７号公報
【特許文献３】特開２００４−０２７５９２号公報
【特許文献４】特開２００１−２６２８２５号公報
【特許文献５】特開２００１−０２７０４４号公報
【非特許文献１】製品カタログＮＯ3コンクリート型枠編−岡部株式会社発行
【非特許文献２】総合カタログ−岡部株式会社発行
【発明の開示】
【発明が解決しようとする課題】
【０００８】
本発明は前述の諸点に鑑みなされたもので、対向して配置されるコンクリート型枠であるコンパネフォームを所定間隔に保持し締結する構造であって、連設する複数の型枠を連結するクリップ金具を介して板セパレータとバタ材締付金具を嵌合させて型枠の緊締作業を容易にすることにある。
【課題を解決するための手段】
【０００９】
本発明は前述の諸点に鑑みなされたものであって、対向するコンクリート型枠であるコンパネフォームを連結するクリップ金具を介して板セパレータとバタ材締付金具を連結する構造であって、板セパレータに開設された係止孔と相似する挿通孔を設けた連結板にバタ材締付け用の軸ボルトが一体形成されてなる軸ボルトの胴部に進退可能な嵌着スライド管を具備したことで、該バタ材締付金具の固定を容易にすることにある。
【００１０】
また、前述記載に伴いコンパネフォームに板セパレータを使用することで作業性を有利にする他、バタ材に加わる荷重負担の軽減によりバタ材の軽量化を図り、型枠緊締作業を容易にすることにある。  
【００１１】
さらに、バタ材締付金具あっては、バタ材の形状に適した座板金具を具備することで単管他、アングル、平鋼などのバタ材を使用することを容易にすることにある。
【発明の効果】
【００１２】
本発明にあっては、コンパネフォーム（メタルフォームのセキ板部分にコンパネを使用した製品）またはメタルフォーム、を連結するクリップ金具の突出部を利用して固定するための嵌着スライド管をバタ材締付金具の軸ボルトに具備したことでバタ材締付金具の固定が容易になることからコンクリート型枠緊締作業の安全と能率を向上させたことにある。  
【００１３】
また、連設するコンクリート型枠間に介装される板セパレータに仮止用の挟着タブを設けたことで、該板セパレータの取付作業を簡便にしたことにある。  
【００１４】
さらに、コンパネフォームを使用することで型枠に加わる荷重に対して、板セパレータを介して力骨となる縁リブが補助することになり、バタ材およびバタ材締付金具に加わる荷重負担が軽減されることなり、バタ材およびバタ材締付金具の軽量化によりバタ材の持ち運びおよびバタ材締付金具の携帯が容易となる。
【発明を実施するための最良の形態】
【００１５】
コンパネオームを連結するクリップ金具の突出部を利用してバタ材締付金具を固定するための嵌着スライド管を具備したことと、板セパレータの取付作業を容易にする仮止用の挟着タブを設けたことを主な特徴とするコンクリート型枠緊締金具の新規な形態にある。
【実施例１】
【００１６】
以下、本発明によるコンクリート型枠緊締金具の実施の形態を図1〜図８に基づいて説明するが、コンクリート型枠緊締金具は、板セパレータ１とバタ材締付金具２が一対となる形態であり、また、金属部材により形成することを理解されたい。  
【００１７】
また、本発明を図示の実施例に基づいてさらに詳述するが、本発明はこれに限定されるものではなく、本発明の技術的思想を逸脱しない範囲において適宜変更を加えることは勿論であることを理解されたい。    
【００１８】
先ず、コンクリート型枠緊締金具の取扱い作業手順にいて説明するに、型枠部材である１枚目のコンパネフォーム３を建て込み、次いで、板セパレータ１を仮止め、次いで、２枚目のコンパネフォーム３を建て込み、次いで、クリップ金具４により挟着固定、これを順次繰り返すことで対向する片側の型枠が一体に連設される、次いで、対面側のコンパネフォーム３を配置しながらクリップ金具４により挟着固定、次いで、挟着したクリップ金具４の突出部にバタ材締付金具２の軸ボルトに付随する連結板５を嵌め込む、次いで、連結板５の外れを防止する嵌着スライド管６を前進させて固定、次いで、上下のバタ材を配置しながら座板金具１３を介してバタ材締付金具２の締付ナット７を回転させて締付けることでバタ材８が強固に固定することになり、一体の型枠が構築されることになる。
【００１９】
しかし、コンパネフォーム３を使用することで連設部に板セパレータ１を挟むため僅かな間隙が生じることになり、若干の後処理が必要となるが、コンクリート打放し化粧仕上げの場合は間隙を無くするため、セキ板９の板セパレータ１に接する部分を欠取る必要がある。また、板セパレータ１を防錆のためステンレス製を使用することが望ましい。但し、錆の発生する板セパレータを使用した場合の防錆処理については、多種の防錆処理方法がある。  
【００２０】
図１，図２は、コンクリート型枠緊締金具の形態を示す片側反面図であって、バタ材８を押圧するバタ材締付金具２は、板セパレータ１に開設された係止孔１０と相似する挿通孔１１を設けた連結板６にバタ材締付け用の軸ボルト１２を溶着固定してなる軸ボルト１２に嵌着スライド管６を挿入し、後部にバタ材８を押圧する座板金具１３と座金１４を挿入後、締付ナット７を螺合して嵌め込み、尾部に締付ナット７の外れ防止のため突起１５を成形する。また、板セパレータ１は、薄板の金属板にコンパネフォーム３の縁リブ１５に開設されたクリップ孔と相似する係止孔１０を穿孔し、先端部に、該板セパレータ１の仮付を支持する挟着タブ１７を形成する。  
【００２１】
また、コンパネフォーム３は、所定の間隔でクリップ孔を設けた金属製の縁リブ１６を木質合板または合成樹脂等によるセキ板９に固定した製品であり、コンパネフォーム３を使用することで型枠に加わる荷重を板セパレータ１を介して縁リブ１６が補助することになり、バタ材８およびバタ材締付金具２に加わる荷重負担が軽減される。また、バタ材締付金具２に具備する嵌着スライド管６とバタ材８を押圧するための座板金具１３は、金属板をプレス加工とするが、軽量化を図るためプラスチックあるいは合成樹脂による成型品にすることもある。さらに、座板金具１３の形状を変えることでバタ材８を桟木または平鋼、アングルなどの使用も可能となる。  
【００２２】
図３、図４、図５は、嵌着スライド管６の詳細を示す平面図、側面図、正面図であり、嵌着スライド管６は、バタ材締付金具２の外れを防止する部位であり進退可能にする略Ｃ形状の円管部１８と嵌着部１９が一体に形成されてなり、前進させることで縁リブ１６に嵌着固定する構造である。  
【００２３】
図６、図７は、板セパレータ１の詳細を示す側面図、と断平面図であり、板セパレータ１は、厚みが１.２ｍｍ程度、巾が５０ｍｍ程度とし、長さはコンクリートの厚み寸法に型枠の厚み
寸法と片端部に形成する挟着タブ１７の必要寸法を加えた寸法に切断した金属板の両側にクリップ金具４の軸心と合致する位置に係止孔１０を穿孔し、片端部に挟着タブ１７を形成する。また、コンクリート面から１ｍｍ程度の内方に折り曲げて切取るためのＶカット溝２０を刻削形成する。前記挟着タブ１７は、巾が軸ボルト１２の直径以内の細長状に切削し、その部分を図７に示すように略Ｃ形状にプレスにより屈曲形成する。  
【００２４】
また、挟着タブ１７は、仮付を弾力により挟着支持する形態であり、この、挟着タブ１７は、型枠解体時に支障となる部分はペンチ等の工具を用いて引き伸ばすように広げる。  
【００２５】
さらに、前述記載の板セパレータ１は、挫屈防止と付着力を強化させるため、コンクリート埋設部分の一部を除き、断面形状が略ハット状に形成する。  
【００２６】
図８は、クリップ金具４の形状を示す斜視図であり、弾力により挟着する金具であり一般的に多用されている製品である。
【図面の簡単な説明】
【００２７】
【図１】本発明にかかるコンクリート型枠緊締金具の形態を示す片側反面の平面図
【図２】本発明にかかるコンクリート型枠緊締金具の形態を示す片側反面の側面図
【図３】バタ材締付金具に具備する嵌着スライド管の詳細を示す平面図
【図４】バタ材締付金具に具備する嵌着スライド管の詳細を示す側面図
【図５】バタ材締付金具に具備する嵌着スライド管の詳細を示す正面図
【図６】板セパレータの挟着部の詳細を示す側面図
【図７】図６のＡ−Ａ線断面図
【図８】コンパネフォームの連結に用いるクリップ金具の斜視図
【符号の説明】
【００２８】
１  板セパレータ２  バタ材締付金具３  コンパネフォーム４  クリップ金具５  連結板６  嵌着スライド管７  締付ナット８  バタ材９  セキ板１０  係止孔１１  挿通孔１２  軸ボルト１３  座板金具１４  座金１５  突起１６  縁リブ１７  挟着タブ１８  円管部１９  嵌着部２０  Ｖカット溝２１  コンクリート
【図１】
2009287291.tif 000003
【図２】
2009287291.tif 000004
【図３】
2009287291.tif 000005
【図４】
2009287291.tif 000006
【図５】
2009287291.tif 000007
【図６】
2009287291.tif 000008
【図７】
2009287291.tif 000009
【図８】
2009287291.tif 000010